(57)【要約】【課題】操作レバーの絶縁操作棒に対する角度の調整を可能とし、作業効率の向上を図る。【解決手段】操作レバー１３１の絶縁操作棒１１０に対する角度調整機構１５０は、固定部１３５に設けられた第１の歯合部１５１と、操作レバー１３１に設けられた第２の歯合部１５２とを有し、第１の歯合部１５１に対する第２の歯合部１５２の円周方向の相対位置を変更して操作レバー１３１の角度調整を行うものであり、操作レバー１３１の絶縁操作棒１１０に対する角度調整を凸歯のピッチを単位として行うことができると共に、調整後の状態を安定して保持できる。第１、第２の歯合部１５１，１５２が歯合した状態を、スプリングによる付勢力で保持するものであり、第２の歯合部１５２をスプリングの付勢力に抗して第１の歯合部１５１から引き離して、操作レバー１３１の絶縁操作棒１１０に対する角度調整を行うことができ、当該角度調整を簡単に行うことができる。【選択図】図５
2009050053.tif 000002
【特許請求の範囲】
【請求項１】
絶縁操作棒の先端に被把持部物を把持する開閉可能な把持具を設け、上記絶縁操作棒の後端側に該把持具を操作する揺動可能な操作レバーを有する操作部を設けた間接活線把持工具であって、
上記操作レバーの上記絶縁操作棒に対する角度を調整する角度調整機構を備える
ことを特徴とする間接活線把持工具。
【請求項２】
上記角度調整機構は、
上記操作部の本体側に設けられ、一の面の円周方向に所定の角間隔で凸歯が形成されている第１の歯合部と、
上記操作レバーの一端に設けられ、一の面の円周方向に上記所定の角間隔で、上記第１歯合部に歯合する凸歯が形成されている第２の歯合部と、
上記第１の歯合部と上記第２の歯合部とが歯合された状態で、上記操作部の本体側に上記操作レバーを固定する固定具とを有してなる
ことを特徴とする請求項１に記載の間接活線把持工具。
【請求項３】
上記操作レバーは、一端が上記操作部の本体側に固定された基端片と、一端が該基端片の他端に接続される握持片とからなり、
上記角度調整機構は、
上記基端片の他端に設けられ、一の面の円周方向に所定の角間隔で凸歯が形成されている第１の歯合部と、
上記握持片の一端に設けられ、一の面の円周方向に上記所定の角間隔で、上記第１の歯合部に歯合する凸歯が形成されている第２の歯合部と、
上記第１の歯合部と上記第２の歯合部とが歯合された状態で、上記基端片に上記握持片を固定する固定具とを有してなる
ことを特徴とする請求項１に記載の間接活把持工具。
【請求項４】
上記固定具は、
スプリングを備え、
上記第１の歯合部と上記第２の歯合部とが歯合した状態を、上記スプリングによる付勢力で保持する
ことを特徴とする請求項２または請求項３に記載の間接活線把持工具。
【発明の詳細な説明】
【技術分野】
【０００１】
この発明は、高圧の架空配電線等の間接活線作業において使用される間接活線把持工具に関する。
【背景技術】
【０００２】
従来から高圧の架空配電線等の間接活線作業を安全かつ効率よく行うため、絶縁操作棒の先端に把持具を装備し、この把持具を絶縁操作棒の後端側に装備した操作レバーを有する操作部を介して遠隔操作を行うようにした間接活線把持工具が使用されている（例えば、特許文献１参照）。
【０００３】
図８は、従来の間接活線把持工具の一例としての絶縁ヤットコ２００の構成例を示している。この絶縁ヤットコ２００は、絶縁操作棒２１０と、把持具２２０と、操作部２３０とを備えている。把持具２２０は、被把持物（対象物）を把持するためのものであり、絶縁操作棒２１０の先端に設けられている。操作部２３０は、把持具２２０を操作するためのものであり、絶縁操作棒２１０の後端側に取り付けられている。
【０００４】
絶縁操作棒２１０は、円筒状（パイプ状）の絶縁性部材により形成されている。絶縁性部材としては、エポキシ樹脂系強化プラスチック、ポリエステル樹脂系強化プラスチック等の、変形し難く、かつ絶縁性が低下しない絶縁性部材が用いられる。この絶縁操作棒２１０の中間部には、感電事故を防ぐために、把持してよい部分とそれ以外の部分との境界を明確にするための安全限界つば２１１が嵌合固定されている。把持具２２０が取り付けられた先端から、当該安全限界つば２１１までの長さは、６００mm（安全限界距離）以上とされている。また、降雨時対策として、絶縁操作棒２１０の、先端と安全限界つば２１１の固定位置との中間には、水切りつば２１２が嵌合固定されている。安全限界つば２１１および水切りつば２１２は、軟質性の合成ゴムにより形成されている。
【０００５】
また、この絶縁操作棒２１０の後端には、足し棒を連結するためのアルミニウム合金で形成された筒状の連結金具２１９が固定されている。
【０００６】
把持具２２０は、間接活線作業において、被把持物（対象物）を把持するための部分であり、例えば、アルミニウム合金で形成されている。把持具２２０は、固定把持片２２１と、この固定把持片２２１に対して先端部が接離可能に設けられた回動把持片２２２とから構成されている。固定把持片２２１は、絶縁操作棒２１０の先端に固定具２２３によって配置固定されている。また、回動把持片２２２は、その後端側部分が枢着ピン２２４を介して固定具２２３に回動（揺動）可能に固定されている。また、回動把持片２２２の後端部は、絶縁操作棒２１０とほぼ平行に設けられている連結棒２１３（リンク機構）の先端部に連結されている。この連結部は、図示しない連結ピンによって回動可能に連結されている。
【０００７】
連結棒２１３は、絶縁操作棒２１０と同様に、円筒状（パイプ状）の絶縁性部材により形成されている。この連結棒２１３の中間部には、水切りつば２１４が嵌合固定されている。この連結棒２１３の後端部は接続部材２１５を通じて操作部２３０に接続されている。この場合、接続部材２１５の、連結棒２１３に接続される側とは反対側の端部は、連結ピン２１８を介して、操作レバー２３１の突出部２３２に回動可能に連結されている。
【０００８】
操作部２３０は、操作レバー２３１を備えている。この操作レバー２３１は、アルミニウム合金により形成されている。この操作レバー２３１には上述した突出部２３２が一体的に形成されている。この操作レバー２３１の一端は、絶縁操作棒２１０の後端側に設けられた支持具２３３に、支持ピン２３４を介して回動（揺動）可能に固定されている。支持具２３３は、アルミニウム合金により形成されており、絶縁操作棒２１０が貫通した状態で、当該絶縁操作棒２１０にねじ止めされている。
【０００９】
図８に示す絶縁ヤットコ２００においては、作業者が操作レバー２３１を握り込むことで、当該操作レバー２３１が矢印Ａ方向に回動し、連結棒２１３が矢印Ｂ方向に移動し、その結果、把持具２２０を構成する回動把持片２２２が矢印Ｃ方向に回動し、固定把持片２２１の先端と回動把持片２２２の先端とが接近して把持具２２０は閉じた状態となり、被把持部物（対象物）を把持できる。一方、操作レバー２３１を矢印Ａとは反対の方向に回動させると、連結棒２１３は矢印Ｂとは反対の方向に移動し、回動把持片２２２が矢印Ｃ方向とは反対の方向に回動し、把持具２２０は開いた状態となり、被把持物（対象物）を解放できる。
【特許文献１】特開２００７−４９８５２号公報
【発明の開示】
【発明が解決しようとする課題】
【００１０】
図８に示す絶縁ヤットコ２００においては、操作レバー２３１の絶縁操作棒２１０に対する角度は固定となっている。そのため、把持具２２０で大きいサイズの被把持物を把持する場合、操作レバー２３１の角度が大きく作業者が力をあまり出せない状態で把持状態を維持しなければならず、特に手の小さい人にとっては、把持状態の安定した維持が困難であった。
【００１１】
この発明の目的は、操作レバーの絶縁操作棒に対する角度の調整を可能とし、作業効率の向上を図ることにある。
【課題を解決するための手段】
【００１２】
この発明の概念は、
絶縁操作棒の先端に被把持部物を把持する開閉可能な把持具を設け、上記絶縁操作棒の後端側に該把持具を操作する揺動可能な操作レバーを有する操作部を設けた間接活線把持工具であって、
上記操作レバーの上記絶縁操作棒に対する角度を調整する角度調整機構を備える
ことを特徴とする間接活線把持工具にある。
【００１３】
この発明においては、角度調整機構により、操作レバーの絶縁操作棒に対する角度の調整が可能となる。例えば、作業者が把持具で大きいサイズの被把持物を把持する場合、把持状態で当該作業者が最も力を出せる位置に操作レバーの角度を調整できる。これにより、把持状態の安定した維持が可能となり、あるいは、作業者は片手でレバー操作を行うことが可能となり、作業効率の向上を図ることができる。
【００１４】
この発明において、例えば、角度調整機構は、操作部の本体側に設けられ、一の面の円周方向に所定の角間隔で凸歯が形成されている第１の歯合部と、操作レバーの一端に設けられ、一の面の円周方向に上記所定の角間隔で、第１の歯合部に歯合する凸歯が形成されている第２の歯合部と、第１の歯合部と第２の歯合部とが歯合された状態で、操作部の本体側に操作レバーを固定する固定具とを有してなるものとされてもよい。
【００１５】
また、この発明において、例えば、操作レバーは、一端が操作部の本体側に固定された基端片と、一端がこの基端片の他端に接続される握持片とからなり、角度調整機構は、基端片の他端に設けられ、一の面の円周方向に所定の角間隔で凸歯が形成されている第１の歯合部と、握持片の一端に設けられ、一の面の円周方向に上記所定の角間隔で、第１の歯合部に歯合する凸歯が形成されている第２の歯合部と、第１の歯合部と第２の歯合部とが歯合された状態で、基端片に握持片を固定する固定具とを有してなるものとされてもよい。
【００１６】
上述のように角度調整機構が構成されるものにあっては、第１の歯合部に対する第２の歯合部の円周方向の相対位置を変更することで、操作レバーあるいは握持片の絶縁操作棒に対する角度調整を凸歯のピッチを単位として行うことができると共に、調整後の状態を安定して保持できる。
【００１７】
また、この発明において、例えば、固定具は、スプリングを備え、第１の歯合部と第２の歯合部とが歯合した状態を、スプリングによる付勢力で保持するようにされてもよい。この場合、第２の歯合部をスプリングの付勢力に抗して第１の歯合部から引き離して、操作レバーあるいは握持片の絶縁操作棒に対する角度調整を行うことができ、当該角度調整を簡単に行うことができる。
【発明の効果】
【００１８】
この発明によれば、操作レバーの絶縁操作棒に対する角度を調整できることから、作業効率の向上を図ることができる。
【発明を実施するための最良の形態】
【００１９】
以下、図面を参照しながら、この発明の実施の形態について説明する。図１は、実施の形態としての絶縁ヤットコ１００の構成例を示している。この絶縁ヤットコ１００は、絶縁操作棒１１０と、把持具１２０と、操作部１３０とを備えている。把持具１２０は、被把持物（対象物）を把持するためのものであり、絶縁操作棒１１０の先端に設けられている。操作部１３０は、把持具１２０を操作するためのものであり、絶縁操作棒１１０の後端側に設けられている。
【００２０】
絶縁操作棒１１０は、円筒状（パイプ状）の絶縁性部材により形成されている。絶縁性部材としては、エポキシ樹脂系強化プラスチック、ポリエステル樹脂系強化プラスチック等の、変形し難く、かつ絶縁性が低下しない絶縁性部材が用いられる。この絶縁操作棒１１０の中間部には、感電事故を防ぐために、把持してよい部分とそれ以外の部分との境界を明確にするための安全限界つば１１１が嵌合固定されている。把持具１２０が取り付けられた先端から、当該安全限界つば１１１までの長さは、６００mm（安全限界距離）以上とされている。
【００２１】
また、降雨時対策として、絶縁操作棒１１０の、先端と安全限界つば１１１の固定位置との中間には、水切りつば１１２が嵌合固定されている。安全限界つば１１１および水切りつば１１２は、軟質性の合成ゴムにより形成されている。また、この絶縁操作棒１１０の後端には、足し棒を連結するためのアルミニウム合金で形成された筒状の連結金具１１９が固定されている。
【００２２】
把持具１２０は、間接活線作業において、被把持物（対象物）を把持するための部分であり、例えば、アルミニウム合金で形成されている。把持具１２０は、固定把持片１２１と、この固定把持片１２１に対して先端部が接離可能に設けられた回動把持片１２２とから構成されている。固定把持片１２１は、絶縁操作棒１１０の先端に固定具１２３によって配置固定されている。また、回動把持片１２２は、その後端側部分が枢着ピン１２４を介して固定具１２３に回動（揺動）可能に固定されている。また、回動把持片１２２の後端部は、絶縁操作棒１１０とほぼ平行に設けられている連結棒１１３（リンク機構）の先端部に連結されている。この連結部は、図示しない連結ピンによって回動可能に連結されている。
【００２３】
連結棒１１３は、絶縁操作棒１１０と同様に、円筒状（パイプ状）の絶縁性部材により形成されている。この連結棒１１３の中間部には、水切りつば１１４が嵌合固定されている。この連結棒１１３の後端部は接続部材１１５を通じて操作部１３０に接続されている。この場合、接続部材１１５の、連結棒１１３に接続される側とは反対側の端部は、連結ピン１１８を介して、操作レバー１３１が接続される固定部１３５に一体的に設けられた突出部１３２に回動可能に連結されている。
【００２４】
操作部１３０は、操作レバー１３１を備えている。この操作レバー１３１は、アルミニウム合金により形成されている。この操作レバー１３１は、操作部１３０の本体側、つまり、絶縁操作棒１１０の後端側に取り付けられた支持具１３３に支持ピン１３４を介して回動（揺動）可能に固定されている固定部１３５に、接続されている。支持具１３３は、アルミニウム合金により形成されており、絶縁操作棒１１０が貫通した状態で、当該絶縁操作棒１１０に取り付けられている。
【００２５】
この実施の形態においては、操作部１３０の本体側としての固定部１３５と操作レバー１３１との接続部分に、操作レバー１３１の絶縁操作棒１１０に対する角度を調整する角度調整機構１５０が備えられている。
【００２６】
この角度調整機構１５０の詳細について、図２、図３を参照して説明する。図２は角度調整機構１５０の斜視図であり、図３は角度調整機構１５０の分解斜視図である。この角度調整機構１５０は、第１の歯合部１５１と、第２の歯合部１５２と、固定具１５３とを有している。
【００２７】
第１の歯合部１５１は、固定部１３５に設けられており、円盤状に形成されている。この第１の歯合部１５１の一の面には、円周方向に所定の角間隔で、この実施の形態においては４５度の間隔で、凸歯１５１ａが形成されている。また、この第１の歯合部１５１の中心部には、後述するビス１５３ａのネジ部を通すための貫通孔１５１ｂが設けられている。また、この第１の歯合部１５１の他の面側には、後述するスプリング１５３ｃの一端側を挿入するための、断面が円形の凹部１５１ｃ（図１、図２には図示せず）が設けられている。
【００２８】
第２の歯合部１５２は、操作レバー１３１の一端に設けられており、上述した固定部１３５に設けられている第１の歯合部１５１と同様に、円盤状に形成されている。この第２の歯合部１５２の一の面（第１の歯合部１５１の凸歯１５１ａが形成されている面に対向した面）には、第１の歯合部１５１と同様に、円周方向に所定の角間隔で、この実施の形態においては４５度の間隔で、凸歯１５２ａが形成されている。また、第２の歯合部１５２の中心部には、後述するビス１５３ａのネジ部を通すための貫通孔１５２ｂが設けられている。
【００２９】
固定具１５３は、ビス１５３ａと、スプリング１５３ｃと、ビス１５３ａとスプリング１５３ｃとの間に配置されるドーナッツ状のスプリング係止板１５３ｂと、ワッシャ１５３ｄと、蝶ナット１５３ｅとからなっている。この固定具１５３は、スプリング係止板１５３ｂ、スプリング１５３ｃ、第１の歯合部１５１、第２の歯合部１５２、ワッシャ１５３ｄをこの順に配置した状態で、ビス１５３ａのネジ部をスプリング係止板１５３ｂ側から挿入し、ワッシャ１５３ｄから突出したビス１５３ａのネジ部に蝶ナット１５３ｅを螺合することで、第１の歯合部１５１と第２の歯合部１５２とが歯合された状態で、固定部１３５に操作レバー１３１を固定する。
【００３０】
図４（ａ）は、固定部１３５に操作レバー１３１が固定された状態を示している。固定具１５３は、第１の歯合部１５１と第２の歯合部１５２とが歯合された状態を、スプリング１５３ｃによる付勢力で保持している。この場合、図４（ｂ）に示すように、第２の歯合部１５２をスプリング１５３ｃの付勢力に抗して、矢印Ｐで示すように、第１の歯合部１５１から引き離すことができる。
【００３１】
この状態で、第１の歯合部１５１に対する第２の歯合部１５２の円周方向の相対位置を変更でき、操作レバー１３１の絶縁操作棒１１０に対する角度調整を、凸歯１５１ａ，１５１ｂのピッチを単位として行うことが可能となる。なお、第２の歯合部１５２をスプリング１５３ｃの付勢力に抗して第１の歯合部１５１から引き離すことを止めれば、再び、図４（ａ）に示すように、スプリング１５３ｃの付勢力によって第１の歯合部１５１と第２の歯合部１５２とが歯合された状態となり、固定部１３５に操作レバー１３１が固定すされる。
【００３２】
図１に示す絶縁ヤットコ１００においては、作業者が操作レバー１３１を握り込むことで、当該操作レバー１３１が矢印Ａ方向に回動し、連結棒１１３が矢印Ｂ方向に移動し、その結果、把持具１２０を構成する回動把持片１２２が矢印Ｃ方向に回動し、固定把持片１２１の先端と回動把持片１２２の先端とが接近して把持具１２０は閉じた状態となり、被把持部物（対象物）を把持できる。一方、操作レバー１３１を矢印Ａとは反対の方向に回動させると、連結棒１１３は矢印Ｂとは反対の方向に移動し、回動把持片１２２が矢印Ｃ方向とは反対の方向に回動し、把持具１２０は開いた状態となり、被把持物（対象物）を解放できる。
【００３３】
また、図１に示す絶縁ヤットコ１００においては、操作部１３０の本体側としての固定部１３５と操作レバー１３１の接続部分に設けられた角度調整機構１５０により、操作レバー１３１の絶縁操作棒１１０に対する角度を任意に調整できる。図５は、操作レバー１３１の角度調整の様子を示している。操作レバー１３１を、矢印ａに示すように、実線の位置から一点鎖線の位置に移動させることで、操作レバー１３１の絶縁操作棒１１０に対する角度は大きくなる。逆に、操作レバー１３１を、矢印ｂに示すように、実線の位置から二点鎖線の位置に移動させることで、操作レバー１３１の絶縁操作棒１１０に対する角度は小さくなる。
【００３４】
以上説明したように、図１に示す絶縁ヤットコ１００においては、角度調整機構１５０により、操作レバー１３１の絶縁操作棒１１０に対する角度の調整が可能となっている。そのため、例えば、作業者が把持具１２０で大きいサイズの被把持物を把持する場合、把持状態で作業者が最も力を出せる位置に操作レバー１３１の角度を調整できる。これにより、把持状態の安定した維持が可能となり、あるいは、作業者は片手でレバー操作を行うことが可能となり、作業効率の向上を図ることができる。
【００３５】
また、図１に示す絶縁ヤットコ１００においては、角度調整機構１５０は、操作部１３０の本体側としての固定部１３５に設けられた第１の歯合部１５１と、操作レバー１３１に設けられた第２の歯合部１５２とを有し、第１の歯合部１５１に対する第２の歯合部１５２の円周方向の相対位置を変更して操作レバー１３１の角度調整を行うものであり、操作レバー１３１の絶縁操作棒１１０に対する角度調整を凸歯のピッチを単位として行うことができると共に、調整後の状態を安定して保持できる。
【００３６】
また、図１に示す絶縁ヤットコ１００においては、第１の歯合部１５１と第２の歯合部１５２とが歯合した状態を、スプリング１５３ｃによる付勢力で保持するものであり、第２の歯合部１５２をスプリング１５３ｃの付勢力に抗して第１の歯合部１５１から引き離して、操作レバー１３１の絶縁操作棒１１０に対する角度調整を行うことができ、当該角度調整を簡単に行うことができる。
【００３７】
次に、この発明の他の実施の形態について説明する。図６は、第２の実施の形態としての絶縁ヤットコ１００Ａの構成例を示している。この図６において、図１と対応する部分には、同一符号を付し、その詳細説明は省略する。
【００３８】
図６に示す絶縁ヤットコ１００Ａにおいては、操作レバー１３１は、操作部１３０の本体側としての固定部１３５に接続される基端片１３１ａと、作業者が握る握持片１３１ｂとからなっている。基端片１３１ａと握持片１３１ｂとの接続部分に、握持片１３１ｂの絶縁操作棒１１０に対する角度を調整する角度調整機構１５０Ａが備えられている。この角度調整機構１５０Ａは、図１に示す絶縁ヤットコ１００の角度調整機構１５０と同様に構成されている。
【００３９】
すなわち、基端片１３１ａの一端は固定部１３５に接続され、当該基端片１３１ａの他端に、上述の図１に示す絶縁ヤットコ１００における固定部１３５に設けられていると同様の第１の歯合部１５１が設けられている。また、握持片１３１ａの一端に、上述の図１に示す絶縁ヤットコ１００における操作レバー１３１に設けられていると同様の第２の歯合部１５２が設けられている。そして、固定具１５３により、第１の歯合部１５１に第２の歯合部１５２が歯合された状態で、基端片１３１ａに握持片１３１ｂが固定されている。
【００４０】
図６に示す絶縁ヤットコ１００Ａは、このように操作レバー１３１の構成が異なるだけで、その他の構成は図１に示す絶縁ヤットコ１００と同様に構成されている。この絶縁ヤットコ１００Ａは、図１に示す絶縁ヤットコ１００における操作レバー１３１と同様に、握持片１３１ｂの絶縁操作棒１１０に対する角度を任意に調整できる。
【００４１】
図７は、握持片１３１ｂの角度調整の様子を示している。握持片１３１ｂを、矢印ｃに示すように、実線の位置から一点鎖線の位置に移動させることで、握持片１３１ｂの絶縁操作棒１１０に対する角度は大きくなる。逆に、握持片１３１ｂを、矢印ｄに示すように、実線の位置から二点鎖線の位置に移動させることで、握持片１３１ｂの絶縁操作棒１１０に対する角度は小さくなる。
【００４２】
このように、図６に示す絶縁ヤットコ１００Ａにおいても、角度調整機構１５０Ａにより、操作レバー１３１を構成する握持片１３１ｂの絶縁操作棒１１０に対する角度の調整が可能となっている。そのため、例えば、作業者が把持具１２０で大きいサイズの被把持物を把持する場合、把持状態で作業者が最も力を出せる位置に把持片１３１ｂの角度を調整できる。これにより、把持状態の安定した維持が可能となり、あるいは、作業者は片手でレバー操作を行うことが可能となり、作業効率の向上を図ることができる。
【００４３】
なお、上述実施の形態においては、この発明を絶縁ヤットコに適用したものであるが、この発明は、絶縁操作棒の先端に把持具を装備し、この把持具を絶縁操作棒の後端側に装備した操作レバーを有する操作部を介して遠隔操作を行うようにしたその他の間接活線把持工具にも同様に適用できることは勿論である。
【産業上の利用可能性】
【００４４】
この発明は、操作レバー（握持片）の絶縁操作棒に対する角度の調整を可能とし、作業効率の向上を図ることができるものであり、絶縁操作棒の先端に装備した把持具を当該絶縁操作棒の後端側に装備した操作レバーを有する操作部を介して遠隔操作を行うようにした絶縁ヤットコ等の間接活線把持工具に適用できる。
【図面の簡単な説明】
【００４５】
【図１】この発明の実施の形態としての絶縁ヤットコの構成例を示す正面図である。
【図２】角度調整機構の構成例を示す斜視図である。
【図３】角度調整機構の構成例を示す分解斜視図である。
【図４】角度調整部における角度調整時の動きを説明するための図である。
【図５】操作レバーの角度調整の様子を示す図である。
【図６】この発明の他の実施の形態としての絶縁ヤットコの構成例を示す正面図である。
【図７】握持片の角度調整の様子を示す図である。
【図８】従来の絶縁ヤットコの構成例を示す正面図である。
【符号の説明】
【００４６】
１００，１００Ａ・・・絶縁ヤットコ、１１０・・・絶縁操作棒、１１１・・・安全限界つば、１１２，１１４・・・水切りつば、１１３・・・連結棒、１１５・・・接続部材、１１８・・・連結ピン、１１９・・・連結金具、１２０・・・把持具、１２１・・・固定把持片、１２２・・・回動把持片、１２３・・・固定具、１３０・・・操作部、１３１・・・操作レバー、１３１ａ・・・基端片、１３１ｂ・・・握持片、１３２・・・突出部、１３３・・・支持具、１３４・・・支持ピン、１３５・・・固定部、１５０，１５０Ａ・・・角度調整機構、１５１・・・第１の歯合部、１５１ａ・・・凸歯、１５１ｂ・・・貫通孔、１５１ｃ・・・凹部、１５２・・・第２の歯合部、１５２ａ・・・凸歯、１５２ｂ・・・貫通孔、１５３・・・固定具、１５３ａ・・・ビス、１５３ｂ・・・スプリング係止板、１５３ｃ・・・スプリング、１５３ｄ・・・ワッシャ、１５３ｅ・・・蝶ナット
【図１】
2009050053.tif 000003
【図２】
2009050053.tif 000004
【図３】
2009050053.tif 000005
【図４】
2009050053.tif 000006
【図５】
2009050053.tif 000007
【図６】
2009050053.tif 000008
【図７】
2009050053.tif 000009
【図８】
2009050053.tif 000010